【手続補正書】
【提出日】平成24年5月29日(2012.5.29)
【手続補正１】
【補正対象書類名】明細書
【補正対象項目名】発明の名称
【補正方法】変更
【補正の内容】
【発明の名称】画像形成装置及びその制御方法
【手続補正２】
【補正対象書類名】明細書
【補正対象項目名】０００１
【補正方法】変更
【補正の内容】
【０００１】
本発明は、複写機等の画像形成装置及びその制御方法に関する。
【手続補正３】
【補正対象書類名】明細書
【補正対象項目名】０００２
【補正方法】変更
【補正の内容】
【０００２】
近年、原稿給送装置に積載された原稿を自動送給し、原稿の表裏を反転させずに１回の搬送パスの通過で原稿の表面・裏面の画像を並行して読み込むことが可能な原稿画像読取装置が提案されている（例えば、特許文献１参照）。このような原稿画像読取装置においては、原稿の片面にのみ原稿画像が存在する片面原稿、及び原稿の両面に原稿画像が存在する両面原稿のいずれであっても読み込み速度は、ほぼ同じである。したがって、予め読み取り原稿に片面原稿と両面原稿が混ざっているような場合であっても、片面／両面原稿を意識することなく画像の読み取りを高速に行うことができる。
【手続補正４】
【補正対象書類名】明細書
【補正対象項目名】００１３
【補正方法】変更
【補正の内容】
【００１３】
本発明は上記従来の問題点に鑑み、両面印刷と片面印刷の無駄な切り換え動作を回避して、印刷物の生産性を向上させることができる画像形成装置及びその制御方法を提供することを目的とする。
【手続補正５】
【補正対象書類名】明細書
【補正対象項目名】００１４
【補正方法】変更
【補正の内容】
【００１４】
上記目的を達成するために、本発明の画像形成装置は、シートの両面に画像形成を行う両面印刷又は片面に画像形成を行う片面印刷を実行するための画像形成手段と、シートに形成すべき画像を入力する入力手段と、シートを給紙する給紙手段と、第１面に画像形成されたシートを第２面に画像形成を行うために前記画像形成手段へ再給紙するための再給紙手段と、前記給紙手段により所定数のシートを給紙し、各シートの第１面に連続して画像形成を行い、その後前記再給紙手段により再給紙されるシートの第２面への画像形成と前記給紙手段により給紙されるシートの第１面への画像形成とを交互に行うことによりシートの両面への画像形成を行う両面印刷モードと、前記給紙手段により給紙されるシートの第１面への画像形成を行い、該シートを前記再給紙手段により再給紙することなく排出する片面印刷モードとを実行するよう前記画像形成手段、前記給紙手段及び前記再給紙手段を制御する制御手段と、を有し、前記制御手段は、両面印刷される複数のシートの間に片面印刷されるシートが混在する場合、片面印刷されるシートが所定枚数よりも多く連続するならば、片面印刷されるシートよりも前の両面印刷される最後のシートが前記再給紙手段により再給紙された後に前記片面印刷モードで片面印刷を連続して行わせ、片面印刷されるシートが前記所定枚数より多く連続するのでなければ、前記両面印刷モードで前記再給紙手段により再給紙されるシートとシートの間で、前記給紙手段により片面印刷されるシートの給紙を行わせ、且つ片面印刷されるシートの第１面への画像形成後に該シートを前記再給紙手段により再給紙させ、該シートの第２面への画像形成を行うことなく排出させることを特徴とする。
【手続補正６】
【補正対象書類名】特許請求の範囲
【補正対象項目名】全文
【補正方法】変更
【補正の内容】
【特許請求の範囲】
【請求項１】
シートの両面に画像形成を行う両面印刷又は片面に画像形成を行う片面印刷を実行するための画像形成手段と、
シートに形成すべき画像を入力する入力手段と、
シートを給紙する給紙手段と、
第１面に画像形成されたシートを第２面に画像形成を行うために前記画像形成手段へ再給紙するための再給紙手段と、
前記給紙手段により所定数のシートを給紙し、各シートの第１面に連続して画像形成を行い、その後前記再給紙手段により再給紙されるシートの第２面への画像形成と前記給紙手段により給紙されるシートの第１面への画像形成とを交互に行うことによりシートの両面への画像形成を行う両面印刷モードと、前記給紙手段により給紙されるシートの第１面への画像形成を行い、該シートを前記再給紙手段により再給紙することなく排出する片面印刷モードとを実行するよう前記画像形成手段、前記給紙手段及び前記再給紙手段を制御する制御手段と、を有し、
前記制御手段は、両面印刷される複数のシートの間に片面印刷されるシートが混在する場合、片面印刷されるシートが所定枚数よりも多く連続するならば、片面印刷されるシートよりも前の両面印刷される最後のシートが前記再給紙手段により再給紙された後に前記片面印刷モードで片面印刷を連続して行わせ、片面印刷されるシートが前記所定枚数より多く連続するのでなければ、前記両面印刷モードで前記再給紙手段により再給紙されるシートとシートの間で、前記給紙手段により片面印刷されるシートの給紙を行わせ、且つ片面印刷されるシートの第１面への画像形成後に該シートを前記再給紙手段により再給紙させ、該シートの第２面への画像形成を行うことなく排出させることを特徴とする画像形成装置。
【請求項２】
前記制御手段は、両面印刷される複数のシートの後に片面印刷されるシートが混在し、その後に両面印刷されるシートがない場合、前記片面印刷されるシートが前記所定枚数より多く連続しなくても、両面印刷される最後のシートが前記再給紙手段により再給紙された後に前記片面印刷モードで片面印刷を連続して行わせることを特徴とする請求項１記載の画像形成装置。
【請求項３】
両面原稿の画像を読み取る両面読取モードと片面原稿の画像を読み取る片面読取モードとで動作する読取手段を有し、前記両面印刷されるシートは前記両面読取モードで読み取られる両面原稿の画像が形成されるシートであり、前記片面印刷されるシートは前記片面読取モードで読み取られる片面原稿の画像が形成されるシートであることを特徴とする請求項１記載の画像形成装置。
【請求項４】
両面原稿又は片面原稿の画像を入力する入力手段と、
前記入力手段により入力される両面原稿の画像をシートの両面に形成する両面印刷又は前記入力手段により入力される片面原稿の画像をシートの片面に形成する片面印刷を実行するための画像形成手段と、
シートを給紙する給紙手段と、
第１面に画像形成されたシートを第２面に画像形成を行うために前記画像形成手段へ再給紙するための再給紙手段と、
前記入力手段により入力される両面原稿の画像を両面印刷する場合、前記給紙手段により所定数のシートを給紙し、各シートの第１面に連続して画像形成を行い、その後前記再給紙手段により再給紙されるシートの第２面への画像形成と前記給紙手段により給紙されるシートの第１面への画像形成とを交互に行うことによりシートの両面への画像形成を行うよう前記画像形成手段、前記給紙手段及び前記再給紙手段を制御する両面制御手段と、
前記入力手段により入力される片面原稿の画像を片面印刷する場合、前記給紙手段により給紙されるシートの第１面への画像形成を行い、該シートを前記再給紙手段により再給紙することなく排出する第１の片面印刷モードと、片面原稿を両面原稿と見なした場合と同じく前記給紙手段により給紙されるシートの第１面への画像形成を行い、該シートを前記再給紙手段により再給紙させる一方、第２面への画像形成を行うことなく排出する第２の片面印刷モードとの何れかを実行するよう前記画像形成手段、前記給紙手段及び前記再給紙手段を制御する片面制御手段と、
を有し、両面原稿の両面印刷の後に片面原稿の片面印刷を行う場合、片面原稿が連続する枚数が所定枚数よりも多ければ前記第１の片面印刷モードを選択し、片面原稿が連続する枚数が所定枚数以下であれば前記第２の片面印刷モードを選択することを特徴とする画像形成装置。
【請求項５】
前記片面制御手段は、前記第２の片面印刷モードを選択した場合、前記片面原稿がその前の両面原稿に続く両面原稿と見なした場合の給紙及び再給紙と同じ順番となるように前記画像形成手段、前記給紙手段及び前記再給紙手段を制御することを特徴とする請求項４記載の画像形成装置。
【請求項６】
前記入力手段により入力される原稿の画像が片面原稿の画像か両面原稿の画像かを判別する判別手段を有し、前記両面制御手段は、前記判別手段により両面原稿の画像と判別されると両面印刷を行い、前記片面制御手段は、前記判別手段により片面原稿の画像と判別されると片面印刷を行うことを特徴とする請求項４記載の画像形成装置。
【請求項７】
前記片面制御手段は、片面原稿の片面印刷の後に両面原稿の両面印刷がないことが確定している場合は、前記片面原稿の連続する枚数が前記所定枚数以下であっても前記第１の片面印刷モードを選択することを特徴とする請求項４乃至請求項６の何れか１項に記載の画像形成装置。
【請求項８】
前記所定枚数は、両面原稿の両面印刷の後に複数枚の片面原稿を前記第１の片面印刷モードで画像形成する場合の単位枚数あたりの印刷に要する時間が、両面原稿の両面印刷の後に複数枚の片面原稿を前記第２の片面印刷モードで画像形成する際の単位枚数あたりの印刷に要する時間よりも小さくなる枚数であることを特徴とする請求項４記載の画像形成装置。
【請求項９】
シートの両面に画像形成を行う両面印刷又は片面に画像形成を行う片面印刷を実行するための画像形成手段と、
シートに形成すべき画像を入力する入力手段と、
シートを給紙する給紙手段と、
第１面に画像形成されたシートを第２面に画像形成を行うために前記画像形成手段へ再給紙するための再給紙手段と、
前記給紙手段により所定数のシートを給紙し、各シートの第１面に連続して画像形成を行い、その後前記再給紙手段により再給紙されるシートの第２面への画像形成と前記給紙手段により給紙されるシートの第１面への画像形成とを交互に行うことによりシートの両面への画像形成を行う両面印刷モードと、前記給紙手段により給紙されるシートの第１面への画像形成を行い、該シートを前記再給紙手段により再給紙することなく排出する片面印刷モードとを実行するよう前記画像形成手段、前記給紙手段及び前記再給紙手段を制御する制御手段と、
を有する画像形成装置の制御方法であって、
両面印刷される複数のシートの間に片面印刷されるシートが混在する場合、片面印刷されるシートが所定枚数よりも多く連続するならば、片面印刷されるシートよりも前の両面印刷される最後のシートが前記再給紙手段により再給紙された後に前記片面印刷モードで片面印刷を連続して行わせる第１の片面印刷工程と、
両面印刷される複数のシートの間に片面印刷されるシートが混在する場合、片面印刷されるシートが前記所定枚数より多く連続するのでなければ、前記両面印刷モードで前記再給紙手段により再給紙されるシートとシートの間で、前記給紙手段により片面印刷されるシートの給紙を行わせ、且つ片面印刷されるシートの第１面への画像形成後に該シートを前記再給紙手段により再給紙させ、該シートの第２面への画像形成を行うことなく排出させる第２の片面印刷工程と、
を有することを特徴とする画像形成装置の制御方法。
【請求項１０】
両面原稿又は片面原稿の画像を入力する入力手段と、
前記入力手段により入力される両面原稿の画像をシートの両面に形成する両面印刷又は前記入力手段により入力される片面原稿の画像をシートの片面に形成する片面印刷を実行するための画像形成手段と、
シートを給紙する給紙手段と、
第１面に画像形成されたシートを第２面に画像形成を行うために前記画像形成手段へ再給紙するための再給紙手段と、
前記入力手段により入力される両面原稿の画像を両面印刷する場合、前記給紙手段により所定数のシートを給紙し、各シートの第１面に連続して画像形成を行い、その後前記再給紙手段により再給紙されるシートの第２面への画像形成と前記給紙手段により給紙されるシートの第１面への画像形成とを交互に行うことによりシートの両面への画像形成を行うよう前記画像形成手段、前記給紙手段及び前記再給紙手段を制御する両面制御手段と、
を有する画像形成装置の制御方法であって、
両面原稿の両面印刷の後に片面原稿の片面印刷を行う場合、片面原稿が連続する枚数が所定枚数よりも多ければ、前記給紙手段により給紙されるシートの第１面への画像形成を行い、該シートを前記再給紙手段により再給紙することなく排出する第１の片面印刷工程と、
両面原稿の両面印刷の後に片面原稿の片面印刷を行う場合、片面原稿が連続する枚数が所定枚数以下であれば、片面原稿を両面原稿と見なした場合と同じく前記給紙手段により給紙されるシートの第１面への画像形成を行い、該シートを前記再給紙手段により再給紙させる一方、第２面への画像形成を行うことなく排出する第２の片面印刷モードとの何れかを実行するよう前記画像形成手段、前記給紙手段及び前記再給紙手段を制御する第２の片面印刷工程と、
を有することを特徴とする画像形成装置の制御方法。
【手続補正７】
【補正対象書類名】図面
【補正対象項目名】図１５
【補正方法】変更
【補正の内容】
【図１５】
2010273022.tif 000001